(57)【要約】【課題】使い方が簡単であり、自然環境へ悪影響を及ぼすことなく長期間に渡って確実な鳥獣忌避作用を発揮し、製造も容易な鳥獣忌避剤を提供する。【解決手段】鳥獣忌避剤１０は、消石灰１１と、木磁粉１２と、人毛１３と、木酢液１４と、肉食獣の排泄物１５との混練物１６を造粒１７した後、乾燥・固化１８させることによって形成されたものである。鳥獣忌避剤１０は、外径が３ｍｍ〜３０ｍｍ程度の褐色の球状体であり、１粒の質量は約０．１ｇ〜８ｇ程度である。鳥獣忌避剤１０を、鳥獣の侵入を回避したい領域若しくはその周辺の地面上に散布しておけば、当該鳥獣忌避剤１０に含まれる人毛１３、木酢液１４及び肉食獣の排泄物１５が、それぞれ人間の臭い、刺激臭及び肉食獣の臭いを発するため、鳥獣類は警戒して前記場所に接近しなくなり、優れた鳥獣忌避効果を得ることができる。【選択図】図２
2009027953.tif 000002
【特許請求の範囲】
【請求項１】
自然界から採取された固化剤と、木磁粉と、人毛と、木酢液と、肉食獣の排泄物と、を含むことを特徴とする鳥獣忌避剤。
【請求項２】
自然界から採取された固化剤と、木磁粉と、人毛と、木酢液と、肉食獣の排泄物との混練物を造粒、固化させて形成したことを特徴とする鳥獣忌避剤。
【請求項３】
前記固化剤が、消石灰、リグニン、穀粉のいずれか１以上である請求項１又は２記載の鳥獣忌避剤。
【請求項４】
前記木磁粉が、杉の樹皮を原料とするものである請求項１〜３のいずれかに記載の鳥獣忌避剤。
【発明の詳細な説明】
【技術分野】
【０００１】
本発明は、農作物や森林資源に被害を与えたり、住宅地やゴミ収集場所等に様々な悪影響を及ぼしたりする各種鳥獣を忌避するための薬剤に関する。
【背景技術】
【０００２】
従来の鳥獣忌避剤としては、柑橘系の果皮から抽出した薬効成分を多孔性天然粘土鉱物に担持させ、その表面に皮膜処理を施したもの（例えば、特許文献１参照。）、揮発性で臭気を出す忌避剤を内蔵するマイクロカプセル粒子を水又は有機溶剤中に分散させたもの（例えば、特許文献２参照。）、ポリプデンとポリイソブチレンの共重合体等の特定化学成分を含むもの（例えば、特許文献３参照。）等がある。また、木酢液を主成分とする液状の鳥獣忌避剤も開発されている（例えば、特許文献４参照。）。
【０００３】
【特許文献１】特開平５−７８２１９号公報
【特許文献２】特開平１１−１２１０５号公報
【特許文献３】特開平１１−２９２７０９号公報
【特許文献４】特開２００４−４３３１４号公報
【発明の開示】
【発明が解決しようとする課題】
【０００４】
特許文献１〜３記載の鳥獣忌避剤は、組成が複雑であり、入手が困難な成分も含んでいるため、容易に製造することができない。また、自然環境への影響が不明な化学成分を含んでいたり、鳥獣忌避作用が長期間持続しなかったりするものがある。一方、特許文献４記載の鳥獣忌避剤は自然環境への悪影響は小さいと思われるが、鳥獣忌避作用が比較的短期間で失われる。
【０００５】
そこで、本発明が解決しようとする課題は、使い方が簡単であり、自然環境へ悪影響を及ぼすことなく長期間に渡って確実な鳥獣忌避作用を発揮し、製造も容易な鳥獣忌避剤を提供することにある。
【課題を解決するための手段】
【０００６】
本発明の鳥獣忌避剤は、自然界から採取された固化剤と、木磁粉と、人毛と、木酢液と、肉食獣の排泄物と、を含むことを特徴とする。ここで、木磁粉とは、気密性を有するケーシング内に収容した木材、樹皮に、磁場を通過させた空気を供給しながら、約２５０℃程度の温度を維持して燻焼することによって形成される、磁性を有する粉状体をいう。
【０００７】
このような構成の鳥獣忌避剤を、鳥獣類の接近を回避したい場所に予め散布すれば、当該鳥獣忌避剤に含まれる人毛、木酢液及び肉食獣の排泄物が、それぞれ人間の臭い、刺激臭及び肉食獣の臭いを発するため、鳥獣類は警戒して前記場所に接近しなくなり、優れた鳥獣忌避作用を得ることができる。この場合、固化剤は当該鳥獣忌避剤を一定形状に固める作用を有し、木磁粉は固化剤による固化物を多孔質化する作用を有し、人毛は木酢液や肉食獣の排泄物の臭いが短時間で蒸散するのを防ぐ作用を有している。さらに、木磁粉は、鳥類が嫌う磁性を有しているため、特に鳥類の接近を防止することができ、鳥類が当該鳥獣忌避剤を誤食して死亡する事故も防止することができる。
【０００８】
また、本発明の鳥獣忌避剤を構成する固化剤、木磁粉、人毛、木酢液及び肉食獣の排泄物はいずれも自然界に存在するものであるため、自然環境へ悪影響を及ぼすことなく長期間に渡って確実な鳥獣忌避作用を発揮する。
【０００９】
次に、本発明の鳥獣忌避剤は、自然界から採取された固化剤と、木磁粉と、人毛と、木酢液と、肉食獣の排泄物との混練物を造粒、固化させて形成したことを特徴とする。
【００１０】
このような構成とすれば、前述と同様、自然環境へ悪影響を及ぼすことなく長期間に渡って確実な鳥獣忌避作用を得ることができる。また、固化剤と、木磁粉と、人毛と、木酢液と、肉食獣の排泄物との混練物を造粒、固化させるだけで完成するので、製造は容易である。さらに、粒状の鳥獣忌避剤を対象領域に散布すれば、所定の鳥獣忌避効果を得ることができるので、使い方も簡単である。
【００１１】
ここで、前記固化剤として、消石灰、リグニン、穀粉のいずれか１以上を用いることができる。これらの物質はいずれも自然界から採取されるものであるため、自然環境へ悪影響を回避することができる。
【００１２】
また、前記木磁粉として、杉の樹皮を原料とするものを用いることができる。このような構成とすれば、鳥獣忌避剤の多孔質化及び磁性強化に有効であるほか、日本の木材産業において比較的多く発生する杉の樹皮を有効活用することができる。
【発明の効果】
【００１３】
本発明により、使い方が簡単であり、自然環境へ悪影響を及ぼすことなく長期間に渡って確実な鳥獣忌避作用を発揮し、製造も容易な鳥獣忌避剤を提供することができる。
【発明を実施するための最良の形態】
【００１４】
以下、本発明の実施の形態を図面に基づいて説明する。図１は本発明の実施の形態である鳥獣忌避剤を示す斜視図である。
【００１５】
図１に示すように、本実施形態の鳥獣忌避剤１０は、外径が３ｍｍ〜３０ｍｍ程度の褐色の球状体であり、１粒の質量は約０．１ｇ〜８ｇ程度であるが、これに限定するものではない。鳥獣忌避剤１０の使い方についても特に限定しないが、例えば、鳥獣の侵入を回避したい領域若しくはその周辺の地面に散布するのが一般的である。
【００１６】
鳥獣忌避剤１０を、鳥獣類の接近を回避したい場所に予め散布しておけば、当該鳥獣忌避剤１０に含まれる人毛の擂潰物、木酢液及び肉食獣の排泄物が、それぞれ人間の臭い、刺激臭及び肉食獣の臭いを発するため、鳥獣類は警戒して前記場所に接近しなくなり、優れた鳥獣忌避作用を得ることができる。
【００１７】
鳥獣忌避剤１０を散布する場合、その散布領域は線状、面状、スポット状等、任意に設定することができるが、ある程度の広さをもった領域に面状に散布すれば、その散布領域に侵入してきた動物は広範囲に存在する鳥獣忌避剤１０が発する人間及び肉食獣の臭い等により、自分の周り全てを多くの人間や肉食獣に包囲されたように錯覚し、パニック状態に陥る可能性が高いため、その侵入動物は強烈な体験を学習し、二度と接近しなくなる、という顕著な効果を得ることができる。
【００１８】
鳥獣忌避剤１０の使い方は限定するものではないので、例えば、通気性を有する袋や箱に鳥獣忌避剤１０を充填したものを対象領域に配置したり、対象地域の樹木等に吊り下げたりすることもできる。
【００１９】
次に、図２，３に基づいて、鳥獣忌避剤１０の製造方法について説明する。図２は図１に示す鳥獣忌避剤の製造工程を示す図、図３は図２に示す木磁粉及び木酢液の製造工程を示す図である。
【００２０】
図２に示すように、原材料である、消石灰１１と、木磁粉１２と、人毛１３と、木酢液１４と、肉食獣の排泄物１５と、を充分に混合して、混練物１６を作る。本実施形態においては、消石灰１５を５０ｇ〜１５０ｇ、木磁粉１２を５００ｇ〜１５００ｇ、人毛１３を７ｇ〜１０ｇ、木酢液１４を４００ｍｌ〜６００ｍｌ、肉食獣の排泄物１５を７ｇ〜１０ｇを混合しているが、これは一例であり、これに限定するものではない。
【００２１】
消石灰１１、木磁粉１２、人毛１３、木酢液１４及び肉食獣の排泄物１５が均一に混じり合った混練物１６が形成されたら、これを造粒装置（図示せず）に投入して造粒１７を行った後、乾燥装置（図示せず）を用いて乾燥・固化１８させると、褐色で球状をした鳥獣忌避剤１０が完成する。
【００２２】
消石灰１１は天然の石灰岩から製造されたものを使用し、人毛１３は美容院や理容院から回収される頭髪を使用し、肉食獣の排泄物１５は動物園などから排出される肉食獣の糞尿を合法的に入手したものを使用している。なお、美容院や理容院から回収される頭髪を擂潰装置（図示せず）で擂り潰して作られた人毛１３の擂潰物を使用することもできる。
【００２３】
木磁粉１２及び木酢液１４については、図３に示す燻焼装置２０を用いて製造したものを使用することができる。燻焼装置２０においては、気密性を有するケーシング２１内に杉の樹皮２２が収容され、外周に磁石２４が配置された給気経路２３内を経由して導入される空気をケーシング２１内に供給しながら、約２５０℃程度の温度を維持して杉の樹皮２２を燻焼する。このように、磁石２４によって給気経路２３内に形成された磁場を通過した空気をケーシング２１内に供給しながら、約２５０℃程度の温度を維持して杉の樹皮２２を燻焼すると、燻焼完了後、ケーシング２１内には、磁性を有する木磁粉１２が残留する。
【００２４】
一方、杉の樹皮２２の燻焼過程においては、燻焼装置２０のケーシング２１から煙及び蒸気等が排出されるが、これらの煙及び蒸気等を、所定の冷却回収装置（図示せず）を用いて冷却すると木酢液１４が形成される。このように、鳥獣忌避剤１０の原料の一部である、木磁粉１２及び木酢液１４は、図３に示す燻焼装置２０を用いて杉の樹皮２２を燻焼することによって生成される木磁粉１２及び木酢液１４を用いることができる。
【００２５】
鳥獣忌避剤１０を構成する消石灰１１、木磁粉１２、人毛１３、木酢液１４及び肉食獣の排泄物１５はいずれも自然界に存在するものであるため、鳥獣忌避剤１０を自然の野山や平野に散布しても自然環境へ悪影響を及ぼすことがなく、長期間に渡って確実な鳥獣忌避作用を発揮する。木磁粉１２の原料として杉の樹皮２２を使用することにより、日本の木材産業において比較的多く発生する杉の樹皮２２を有効活用することができる。
【００２６】
また、消石灰１１、木磁粉１２、人毛１３、木酢液１４及び肉食獣の排泄物１５の混練物１６を造粒１７、乾燥・固化１８させれば鳥獣忌避剤１０が完成するので、製造は容易である。さらに、球状の鳥獣忌避剤１０を対象領域に散布すれば、所定の鳥獣忌避効果を得ることができるので、使い方も簡単である。なお、自然界から採取された固化剤としては、消石灰１１以外に、リグニンや穀粉（小麦粉、米粉等）を使用することもできる。
【００２７】
次に、図４，図５に基づいて、本発明のその他の実施の形態について説明する。図４は本発明のその他の実施の形態である鳥獣忌避剤を示す断面図、図５は図４に示す鳥獣忌避剤の使い方を示す斜視図である。
【００２８】
図４（ａ）に示す鳥獣忌避剤３０は、前述した鳥獣忌避剤１０（図１参照）よりも外径の大きな球状であり、その直径方向に貫通孔３１が設けられ、貫通孔３１両端の開口部３１ａが外周面に露出している。図４（ｂ）に示す鳥獣忌避剤４０は楕円球状であり、その長径方向に貫通孔４１が設けられ、貫通孔４１両端の開口部４１ａが外周面に露出している。
【００２９】
図５（ａ）に示すように、下端に結び目を設けたロープＲを複数の鳥獣忌避剤３０の貫通孔３１に通して、いわゆる数珠繋ぎにすれば、対象地域の樹木等に吊り下げて使用することができる。また、図５（ｂ）に示すように、複数の鳥獣忌避剤４０の貫通孔４１に通した状態としたロープＲを水平方向に張設することもできる。このような使い方をすれば鳥獣忌避剤３０，４０は地上より高い位置に配置されるため、その配置領域や消耗状態（経時変化）等が分かり易くなる。また、鳥獣忌避剤３０，４０が踏み潰されたり、地中に埋没したりするのを回避することもできる。なお、鳥獣忌避剤３０，４０の使い方はこれらに限定するものではないので、使用条件に応じて任意に変更することができる。
【産業上の利用可能性】
【００３０】
本発明の鳥獣忌避剤は、鳥獣による被害を受ける可能性のある山間部や平野部あるいは住宅地域などにおいて広く利用することができる。
【図面の簡単な説明】
【００３１】
【図１】本発明の実施の形態である鳥獣忌避剤を示す斜視図である。
【図２】図１に示す鳥獣忌避剤の製造工程を示す図である。
【図３】図２に示す木磁粉及び木酢液の製造工程を示す図である。
【図４】本発明のその他の実施の形態である鳥獣忌避剤を示す断面図である。
【図５】図４に示す鳥獣忌避剤の使い方を示す斜視図である。
【符号の説明】
【００３２】
１０，３０，４０  鳥獣忌避剤
１１  消石灰
１２  木磁粉
１３  人毛
１４  木酢液
１５  肉食獣の排泄物
１６  混練物
１７  造粒
１８  乾燥・固化
２０  燻焼装置
２１  ケーシング
２２  杉の樹皮
２３  給気経路
２４  磁石
３１，４１  貫通孔
３１ａ，４１ａ  開口部
Ｒ  ロープ
【図１】
2009027953.tif 000003
【図２】
2009027953.tif 000004
【図３】
2009027953.tif 000005
【図４】
2009027953.tif 000006
【図５】
2009027953.tif 000007